(57)【要約】  干渉制御の目的のために使用することができる情報を収集する、測定する、報告する、および／または、使用するための方法および装置。無線端末は、１つ以上の基地局（例えば基地局セクタ送信機）から送信された信号を測定する。測定信号は、例えばビーコン信号および／またはパイロット信号であるかもしれない。測定信号から、無線端末は、異なる基地局セクタから無線端末への通信チャネルの相対利得に関する情報を提供する１つ以上の利得比を生成する。それが、無線端末が付随する基地局セクタによりなされた送信に対して他の基地局セクタから送信により引き起こされる信号干渉に関する情報を提供するので、この情報は干渉情報を表す。エネルギー測度から生成された信号エネルギー測定値および相対利得に基づいて、報告は本発明に従って生成され、１つ以上の基地局へ送信される。
2010507284.tif 000002
【特許請求の範囲】
【請求項１】
下記を含む、無線端末を動作する方法。
前記無線端末が接続をしている第１の基地局から第１の信号を受信する；
第２の基地局から第２の信号を受信する；
前記第１の受信信号のパワーを測定する；
前記第２の受信信号のパワーを測定する；および、
第１の値と第２の値の比を示す報告を送信する、前記第１および第２の値は、それぞれ前記第１の受信信号の測定されたパワーおよび前記第２の受信信号の測定されたパワーの関数である。
【請求項２】
請求項１の方法、そこにおいて少なくとも前記第１の値は、前記第１の信号の前記測定されたパワーとは異なるが、しかし前記第１の信号の前記測定されたパワーから決定される、あるいは、前記第２の値は、前記第２の信号の前記測定されたパワーとは異なるが、しかし前記第２の信号の前記測定されたパワーから決定される。
【請求項３】
請求項１の方法、そこにおいて前記第１の受信信号は、前記第１の基地局から受信されたビーコン信号とパイロット信号のうちの１つである。
【請求項４】
請求項３の方法、そこにおいて前記第２の受信信号は、前記第２の基地局から受信されたビーコン信号とパイロット信号のうちの１つである、前記第１信号と第２の信号の各々は、３つのＯＦＤＭシンボル送信期間長より短い持続期間を持つ単一のトーン信号である。
【請求項５】
請求項４の方法、そこにおいて前記第２の信号は、前記第２の信号を送信した基地局により前記第２の信号の持続期間に送信された任意のユーザーデータより、トーンあたりのパワーレベルがより高いレベルで送信された信号である。
【請求項６】
請求項１の方法、そこにおいて前記第１の値は、前記第１の受信信号の前記測定されたパワーと等しい。
【請求項７】
請求項６の方法、そこにおいて前記第２の値は、前記第２の受信信号の前記測定されたパワーと等しい。
【請求項８】
請求項１の方法、そこにおいて前記第１の値は、利得係数を掛けた前記第１の受信信号の前記測定されたパワーと等しい、ただし前記利得係数は、前記第１の信号と第２の信号の相対的な送信パワーの関数である。
【請求項９】
請求項１の方法、そこにおいて前記第２の値は、利得係数を掛けた前記第２の受信信号の前記測定されたパワーと等しい、ただし前記利得係数は、前記第１の信号と第２の信号の相対的な送信パワーの関数である。
【請求項１０】
請求項１の方法、そこにおいて、前記第１の信号と第２の信号は基準信号であり、前記基準信号はそれぞれ第１の固定パワーレベルおよび第２の固定パワーレベルで送信され、前記方法はさらに下記を含む：
１つ以上の追加の基地局から１つ以上の追加のビーコン信号をそれぞれ受信すること；
前記１つ以上の受信された追加のビーコン信号の前記パワーを測定すること；
そこにおいて、前記方法は、前記第２の信号の前記測定されたパワーおよび前記１つ以上の追加のビーコン信号の前記測定されたパワーから前記第２の値を決定することを含んでいる；および、
そこにおいて、前記第１の値は、前記第１の信号の測定されたパワーと等しい。
【請求項１１】
請求項８の方法、そこにおいて前記第２の値を決定することは下記を含む：
前記第２の信号および前記１つ以上の追加のビーコン信号の前記測定されたパワーの最大値に前記第２の値をセットすること。
【請求項１２】
請求項１０の方法、そこにおいて前記第２の値を決定することは下記を含む：
前記第２の信号および前記１つ以上の追加のビーコン信号の前記測定されたパワーの合計に前記第２の値をセットすること。
【請求項１３】
下記をさらに含む請求項３の方法：
前記第１の信号を受信する前に、前記第１の基地局から付加的なビーコン信号を受信すること；
前記付加的な受信ビーコン信号のパワーを測定すること；および、
そこにおいて、第１の値は、前記第１の信号の前記測定されたパワーと前記付加的な受信信号の前記測定されたパワーの平均の関数である。
【請求項１４】
請求項１３の方法、そこにおいて、前記第１の値は、前記第１の受信信号の前記測定されたパワーと前記利得係数を掛けた付加的な受信信号の前記測定されたパワーの平均に等しい、ただし、前記利得係数は、前記第１の信号と第２の信号の相対的な送信パワーの関数である。
【請求項１５】
下記をさらに含む請求項１３の方法：
前記第２の信号を受信する前に、前記第２の基地局から第２の付加的なビーコン信号を受信すること；
前記第２の付加的な受信ビーコン信号のパワーを測定すること；および、
そこにおいて、前記第２の値は、前記第２の信号の前記測定されたパワーと前記第２の付加的な受信ビーコン信号の前記測定されたパワーの平均の関数である。
【請求項１６】
下記を含む無線端末：
無線端末が接続をしている第１の基地局からの第１の信号と、第２の基地局からの第２の信号を、受信するための受信機モジュール；
前記第１の受信信号と第２の受信信号のパワーに対するパワー測定モジュール；および
第１の値と第２の値の比を示す報告を生成するための報告作成モジュール、前記第１の値と第２の値は、それぞれ前記第１の受信信号の測定されたパワーおよび前記第２の受信信号の測定されたパワーの関数である。
【請求項１７】
請求項１６の無線端末、そこにおいて、少なくとも前記第１の値は、前記第１の信号の前記測定されたパワーとは異なるが、しかし前記第１の信号の前記測定されたパワーから決定される、あるいは、そこにおいて、前記第２の値は、前記第２の信号の前記測定されたパワーとは異なるが、しかし前記第２の信号の測定されたパワーから決定される。
【請求項１８】
請求項１６の無線端末、そこにおいて、前記第１の受信信号は、前記第１の基地局から受信されたビーコン信号とパイロット信号のうちの１つである。
【請求項１９】
請求項１８の無線端末、そこにおいて、前記第２の受信信号は、前記第２の基地局から受信されたビーコン信号とパイロット信号のうちの１つである、前記第１の信号と第２の信号の各々は、３つのＯＦＤＭシンボルの送信時間期間長より短い持続期間を持つ単一のトーン信号である。
【請求項２０】
請求項１９の無線端末、そこにおいて、前記第２の信号は、前記第２の信号の持続期間に前記第２の信号を送信した基地局により送信された任意のユーザーデータより高いトーンあたりのパワーレベルで送信された信号である。
【請求項２１】
請求項１６の無線端末、そこにおいて前記報告作成モジュールは、前記第１の受信信号の前記測定されたパワーと等しい第１の値をセットする。
【請求項２２】
請求項２１の無線端末、そこにおいて、前記第２の値は、前記第２の受信信号の前記測定されたパワーと等しい。
【請求項２３】
請求項１６の無線端末、そこにおいて、前記第１の値は、利得係数を掛けた前記第１の受信信号の前記測定されたパワーと等しい、ただし前記利得係数は、前記第１の信号と第２の信号の相対的な送信パワーの関数である。
【請求項２４】
請求項１６の無線端末、そこにおいて、前記第２の値は、利得係数を掛けた前記第２の受信信号の前記測定されたパワーと等しい、ただし前記利得係数は前記第１の信号と第２の信号の相対的な送信パワーの関数である。
【発明の詳細な説明】
【技術分野】
【０００１】
本発明は、無線通信システムに関する、そして、特に無線通信システムにおいて干渉制御の目的のために使用することができる情報を、収集する、測定する、報告する、および／または使用する方法および装置に関する。
【背景技術】
【０００２】
無線多重アクセス通信システムにおいて、無線端末はアップリンクチャネル上で共通の受信機と通信するためにシステム資源を求めて争う。この状況の一例は、無線端末が基地局受信機に対して送信するセルラー無線システムにおけるアップリンクチャネルである。無線端末がアップリンクチャネル上で送信する時、それは一般にシステム全体（例えば近隣の基地局受信機）への干渉を引き起こす。無線端末は分散されるので、それらの送信により生成される干渉の制御は挑戦的な問題である。
【０００３】
多くのセルラー無線システムが、アップリンク干渉を制御するために単純な戦略を採用する。例えば、ＣＤＭＡ音声システム（例えばＩＳ−９５）は、単にそれらの信号がほぼ同じパワーで基地局受信機に受信されるように無線端末をパワー制御する。１ｘＲＴＴと１ｘＥＶ−ＤＯのような最先端技術のＣＤＭＡシステムは、無線端末が異なるレートで送信し、かつ異なるパワーで基地局に受信されることを許容する。しかしながら、干渉は、システムにおいて干渉の最悪の源であるそれらの無線端末を正確に制御せずに、干渉のオーバーオールレベルを低下させる、分散された方式において制御される。
【０００４】
干渉制御アプローチのこの既存の本体は、無線システムのアップリンク容量を制限する。
【０００５】
送信が生じる時、近隣のセルにおいて生成される信号干渉の量、および／または、無線端末が信号干渉のために遭遇する干渉の量を決定するのに使用され得る情報を、基地局が提供されることができるならば、それは有用だろう。基地局へ１台以上の無線端末により干渉を決定する目的のために使用することができる情報を提供することができるならば、それは特に望ましいだろう。
【図面の簡単な説明】
【０００６】
【図１】本発明に従ってインプリメントされた典型的な無線通信システムの図面である。
【図２】本発明に従ってインプリメントされた基地局の例を示す。
【図３】本発明に従ってインプリメントされた無線端末を示す。
【図４】本発明に従って、無線端末が基地局セクタに接続され、複数の干渉基地局に関連した相対利得を測定するシステムを示す。
【図５】本発明に従って、信号のエネルギーを測定すること、利得を決定すること、および干渉報告を提供すること、の方法を示すフローチャートである。
【図５Ａ】本発明に従って、信号のエネルギーを測定すること、利得を決定すること、および干渉報告を提供すること、の方法を示すフローチャートである。
【図５Ｂ】本発明に従って、信号のエネルギーを測定すること、利得を決定すること、および干渉報告を提供すること、の方法を示すフローチャートである。
【図５Ｃ】本発明に従って、信号のエネルギーを測定すること、利得を決定すること、および干渉報告を提供すること、の方法を示すフローチャートである。
【図６】アップリンク・トラフィックチャネル、およびそこに含まれるセグメントを示す。
【図７】無線端末にアップリンク・トラフィックチャネルセグメントを割り当てるために基地局により使用することができる割り当てを示す。
【発明の概要】
【０００７】
本発明は、干渉制御を目的として使用することができる情報を、収集する、測定する、報告する、および／または使用する方法と装置に対して向けられる。
【０００８】
本発明に従って、無線端末（例えばモバイルノード）は、１つ以上の基地局（例えば基地局セクタ送信機）から送信された信号を測定する。その測定信号は、例えば、ビーコン信号および／またはパイロット信号かもしれない。ビーコン信号は、狭帯域信号（例えば単一のトーン）かもしれない。ビーコン信号は、１つ、２つ、あるいはそれ以上のシンボル送信期間の持続時間を持つかもしれない。しかしながら、他のタイプのビーコン信号が使用されてもよい。そして、ビーコン信号の特定のタイプは本発明に対してクリティカルではない。その測定信号から、無線端末は、異なる基地局セクタから無線端末に通信チャネルの相対利得に関する情報を提供する１つ以上の利得比（ｇａｉｎ  ｒａｔｉｏ）を生成する。この情報は、それが、無線端末が所属させられている基地局セクタへの送信に関連して、他の基地局セクタへの送信によりもたらされる信号干渉に関する情報を提供するので、干渉情報を表す。
【０００９】
エネルギー測度（ｅｎｅｒｇｙ  ｍｅａｓｕｒｅ）から生成された信号エネルギー測定値および相対利得に基づいて、報告は本発明に従って生成され、１つ以上の基地局へ送信される。その報告は、複数の異なるフォーマットであり、１つの干渉基地局からの干渉、あるいは複数の干渉基地局により引き起こされた干渉に関する情報を提供することができる。１つのフォーマットは、無線端末が接続される基地局セクタに対して単一の干渉基地局セクタ送信機により引き起こされる干渉に関する情報を提供する。基地局は、無線端末から特定の基地局セクタに関する干渉を提供する干渉報告の送信を要求することができる。これは、基地局が無線端末へ特定の干渉報告の要求を送信することにより行われる。その要求は、通常、報告が求められる干渉ＢＳセクタを識別する。無線端末は、要求された報告を送信することによりそのような要求に対して応答するだろう。
【００１０】
特定の干渉報告の要求に対して応答することに加えて、無線端末は、いくつかの実施形態において、報告スケジュールにより本発明に従い生成された干渉報告を送信する。そのような実施形態において、無線端末とアクティブな接続をしている基地局は、予測可能な（例えば、予め定めた）スケジュールで干渉報告を受信するだろう。
【００１１】
実施形態により、利得比および／または報告の生成は、異なる基地局セクタにより、および／または測定され得る異なる信号について、使用される相対的な送信パワーレベルを示す種々の要因の関数であり得る。このように、異なるパワーレベルで送信される信号（例えばパイロット信号およびビーコン信号）は、測定される種々の信号の異なる相対的な送信パワーレベルを考慮に入れることにより、信頼できる相対的なチャネル利得推定値を生成する際に測定し使用することができる。
【００１２】
多数の追加の特徴、利点および実施形態は、後続の詳細な説明において説明される。
【詳細な説明】
【００１３】
本発明に従って、干渉制御を目的として使用することができる情報を収集、報告、および使用のための方法および装置がここでは説明されるだろう。本発明の方法および装置は、多重アクセス（例えばマルチユーザー）通信システムでの使用にうまく適合している。そのようなシステムは、１つ以上の送信機（例えば近隣基地局）からの送信による信号干渉が問題となるＯＦＤＭ方式、ＣＤＭＡシステムあるいは他のタイプの無線システムとしてインプリメントされ得る。
【００１４】
本発明の典型的な実施形態は、図１に示される本発明のセルラー無線データ通信システム１００のコンテキストの下に説明される。典型的なセルラー無線システムが本発明を説明する意図で使用されるかぎり、本発明は、実施例より範囲が広く、そして一般に他の多くの無線通信システムにも同様に適用することができる。
【００１５】
無線データ通信システムにおいて、エアーリンク資源は、一般に帯域幅、時間あるいは符号を含んでいる。ユーザのデータおよび／または音声トラフィックを運ぶエアーリンク資源は、トラフィックチャネルと呼ばれる。データは、トラフィックチャネルセグメント（略してトラフィックセグメント（ｔｒａｆｆｉｃ  ｓｅｇｍｅｎｔ））におけるトラフィックチャネル上で通信される。トラフィックセグメントは、利用可能なトラフィックチャネル資源の基礎的あるいは最小の単位として働き得る。ダウンリンク・トラフィックセグメントは基地局から無線端末へデータトラフィックを運ぶ、その一方で、アップリンク・トラフィックセグメントは無線端末から基地局へデータトラフィックを運ぶ。本発明が使用され得る典型的な１つのシステムは、スペクトル拡散ＯＦＤＭ（直交周波数分割多重；ｏｒｔｈｏｇｏｎａｌ  ｆｒｅｑｕｅｎｃｙ  ｄｉｖｉｓｉｏｎ  ｍｕｌｔｉｐｌｅｘｉｎｇ）多重アクセスシステムである、そこにおいて、トラフィックセグメントは、有限の時間間隔で定義された多くの周波数トーンを含んでいる。
【００１６】
図１は、本発明に従ってインプリメントされた典型的な無線通信システム１００の実例である。典型的な無線通信システム１００は、複数個の基地局（ＢＳ）：基地局１  １０２、基地局Ｍ  １１４を含んでいる。セル１  １０４は、基地局１  １０２の無線カバレージエリアである。ＢＳ１  １０２は、複数個の無線端末（ＷＴ）（セル１  １０４の内に位置するＷＴ（１）１０６、ＷＴ（Ｎ）１０８）と通信する。ＷＴ（１）１０６、ＷＴ（Ｎ）１０８は、無線リンク１１０、１１２を介してＢＳ１  １０２にそれぞれ結合されている。同様に、セルＭ  １１６は、基地局Ｍ  １１４の無線カバレージエリアである。ＢＳ Ｍ  １１４は、複数個の無線端末（ＷＴ）（セルＭ  １１６の内にあるＷＴ（１’）１１８、ＷＴ（Ｎ’）１２０）と通信する。ＷＴ（１’）１１８、ＷＴ（Ｎ’）１２０は、無線リンク１２２、１２４を介してＢＳ Ｍ  １１４にそれぞれ結合されている。ＷＴ（１０６、１０８、１１８、１２０）は、移動性のおよび／または静止の無線通信デバイスかもしれない。移動性のＷＴは、時々モバイルノード（ＭＮ）と呼ばれ、システム１００の全体にわたって動き、それらが位置するセルに対応する基地局と通信することができる。領域１３４は、セル１  １０４とセルＭ  １１６の間の境界領域である。図１システムにおいて、セルは、単一のセクタセルとして示される。マルチ・セクタセルもまた可能であり、サポートされる。基地局セクタの送信機は、基地局識別子および／またはセクタ識別子を伝える送信情報（例えばビーコン信号）に基づいて識別され得る。
【００１７】
ネットワーク・ノード１２６は、ネットワークリンク１２８、１３０を介してＢＳ１  １０２およびＢＳ  Ｍ  １１４にそれぞれ結合されている。ネットワーク・ノード１２６もまた、ネットワークリンク１３２を介しての他のネットワーク・ノード／インターネットに結合されている。ネットワークリンク１２８、１３０、１３２は、例えば光ファイバーのリンクかもしれない。ネットワーク・ノード１２６（例えばルータ・ノード）は、ＷＴ（例えばＷＴ（１）１０６）が、その現在位置するセル（例えばセル１  １０４）の外側に位置する他のノード（例えば他の基地局、ＡＡＡサーバ・ノード、ホームエージェント・ノード、コミュニケーション・ピア（例えばＷＴ（Ｎ’）１２０、など））に接続することを提供する。
【００１８】
図２は、本発明に従ってインプリメントされた、典型的な基地局２００を示す。典型的なＢＳ２００は、図１のＢＳ、ＢＳ１  １０２、ＢＳ  Ｍ  １１４のうちの任意のもののより詳細な説明であり得る。ＢＳ２００は、諸要素がデータと情報を交換し得るバス２１４を介して共に結合された受信機２０２、送信機２０４、プロセッサ（例えばＣＰＵ２０６）、Ｉ／Ｏインターフェース２０８、Ｉ／Ｏデバイス２１０、およびメモリ２１２を含んでいる。さらに、基地局２００は、受信機２０２に結合された受信機アンテナ２１６、および送信機２０４に結合された送信機アンテナ２１８を含んでいる。受信機アンテナ２１６がＷＴ３００から情報（例えばアップリンク・トラフィックチャネル信号、資源に対するＷＴの要求、ＷＴ干渉報告、など）を受信するために使用されるのに対して、送信機アンテナ２１８は、ＢＳ２００からＷＴ３００（図３を参照）へ情報（例えばダウンリンク・トラフィックチャネル信号、ビーコン信号、パイロット信号、割り当て信号、干渉報告の要求メッセージ、干渉制御指標信号、など）を送信するために使用される。
【００１９】
メモリ２１２は、ルーチン２２０およびデータ／情報２２４を含んでいる。プロセッサ２０６は、ルーチン２２０を実行し、基地局２００の全体の動作を制御し、かつ本発明の方法を実現するためにメモリ２１２に保存されたデータ／情報２２４を使用する。入出力デバイス２１０（例えばディスプレイ、プリンタ、キーボード、など）は、基地局管理者にシステム情報を表示し、そして前記管理者から制御および／または処理入力を受け取る。入出力インターフェース２０８は、基地局２００をコンピューターネットワーク、他のネットワーク・ノード、他の基地局２００、および／または、インターネットに結合する。したがって、入出力インターフェース２０８を介して、基地局２００は、顧客情報および他のデータを交換することに加えて、もし望まれればＷＴ３００と送信信号を同期させることができる。さらに、Ｉ／Ｏインターフェース２０８は、基地局３００を介してインターネット上でＷＴ３００のユーザが情報の受信および／または送信することを可能にする、インターネットへの高速接続を提供する。受信機２０２は、受信機アンテナ２１６を介して受信した信号を処理し、そして受信した信号からそこに含まれた情報コンテンツを抽出する。抽出された情報（例えばデータ、チャネル干渉報告情報）は、バス２１４を介してプロセッサ２０６に伝えられ、そしてメモリ２１２に格納される。送信機２０４は、アンテナ２１８を介してＷＴ３００に、情報（例えばデータ、ビーコン信号、パイロット信号、割り当て信号、干渉報告要求メッセージ、干渉制御指標信号）を、送信する。
【００２０】
上で言及されたように、プロセッサ２０６は、メモリ２１２に格納されたルーチン２２０の指示の下に基地局２００の動作を制御する。ルーチン２２０は、通信ルーチン２２６および基地局制御ルーチン２２８を含んでいる。基地局制御ルーチン２２８は、スケジューラ２３０、ダウンリンク同報シグナリング・モジュール２３２、ＷＴ報告処理モジュール２３４、報告要求モジュール２３６、および干渉指標モジュール２３８を含んでいる。報告要求モジュール２３６は、報告要求において識別された特定のＢＳセクタに関する特定の干渉報告の要求を生成することができる。生成された報告要求は、ＢＳが事前に決定されているかまたは固定の報告スケジュールにより与えられるそれ以外の時に干渉情報を求める時、１台以上の無線端末へ送信される。データ／情報２２４は、ダウンリンク同報基準信号情報２４０、無線端末データ／情報２４１、アップリンク・トラフィックチャネル情報２４６、干渉報告要求情報メッセージ２４８および干渉制御指標信号２５０を含んでいる。
【００２１】
ダウンリンク同報基準信号情報２４０は、ビーコン信号情報２５２、パイロット信号情報２５４、および割り当て信号情報２５６を含んでいる。ビーコン信号は、短期間の１つあるいは少数のトーン（例えば１つのシンボル時間）に送信機パワーが集中される比較的ハイパワーのＯＦＤＭ同報信号である。ビーコン信号情報２５２は、識別情報２５８およびパワーレベル情報２６０を含んでいる。ビーコン識別情報２５８は、ビーコン信号を特定のＢＳ２００に関連させ、および識別するために使用される情報（例えば、反復のダウンリンク送信間隔あるいは周期の特定の時にビーコン信号を含むトーンのセットまたは１つの特定のトーン）を含んでいてもよい。ビーコンパワーレベル情報２６０は、ビーコン信号が送信されるパワーレベルを定義する情報を含んでいる。パイロット信号は、適度に高パワーレベル（例えば通常のシグナリングレベル以上）でＷＴに対して同報送信される既知信号を含んでいてもよい。それは、一般に、基地局を識別し、基地局と同期し、チャネル推定を得るために使用される。パイロット信号情報２５４は、識別情報２６２およびパワーレベル情報２６４を含んでいる。パイロット識別情報２６２は、パイロット信号を識別し特定の基地局２００に関連付けるために使用される情報を含んでいる。パイロットパワーレベル情報２６４は、パイロット信号が送信されるパワーレベルを定義する情報を含んでいる。信号送信パワーパワーレベルに関する情報を提供する種々の信号（例えばパイロットおよびビーコン信号送信パイロットレベル）は、利得比および／または干渉報告を決定する際に無線端末による使用のために同報送信され得る。割り当て信号は、悪いチャネル品質条件を有するそのセル内のＷＴに達するように通常のシグナリングレベル以上のパワーレベルで一般に送信される同報アップリンクおよびダウンリンク・トラフィックチャネル・セグメント割当信号を含んでいる。割当シグナリング情報２５６は、識別情報２６６およびパワーレベル情報２６８を含んでいる。割当シグナリング識別情報２６６は、ダウンリンク・タイミング周期における特定の時に特定のＢＳ２００に対する割り当てに、特定のトーンを関連させる情報を含んでいる。割り当てパワーレベル情報２６８は、割り当て信号が送信されるパワーレベルを定義する情報を含んでいる。
【００２２】
無線端末データ／情報２４１は、ＷＴデータ／情報の複数個のセット、ＷＴ１情報２４２、ＷＴ  Ｎ情報２４４を含んでいる。ＷＴ１情報２４２は、データ２７０、端末識別情報２７２、干渉コスト報告情報２７４、要求アップリンク・トラフィックセグメント２７６、および、割当アップリンク・トラフィックセグメント２７８を含んでいる。データ２７０は、ＷＴ１に関連したユーザーデータ（例えば、ＢＳ２００によってＷＴ１のピア・ノード（例えばＷＴ  Ｎ）、そこにおいてＷＴ１は通信セッションに参加している、に対して直接あるいは間接的に通信されるように意図されたＷＴ１から受信されるデータおよび情報）を含んでいる。データ２７０は、またＷＴ１のピア・ノード（例えば、ＷＴ  Ｎ）を初めの供給元とする受信データおよび情報も含んでいる。端末識別情報２７２は、ＷＴ１をＢＳに関連させるようにＢＳに割り当てられ、ＷＴ１を識別するためにＢＳにより使用される識別子を含んでいる。干渉コスト報告情報２７４は、通信システムに対してアップリンク・シグナリングを送信するＷＴ１の干渉コストを識別するＢＳ２００に、ＷＴ１からフィードバック報告において転送された情報を含んでいる。要求アップリンク・トラフィックセグメント２７６は、ＢＳスケジューラ２３０により割り当てられるアップリンク・トラフィックセグメントに対するＷＴ１からの要求（例えば数、タイプ、および／または時間制約情報）を含んでいる。割当アップリンク・トラフィックセグメント２７８は、スケジューラ２３０によりＷＴ１に割り当てられたアップリンク・トラフィックセグメントを識別する情報を含んでいる。
【００２３】
アップリンク・トラフィックチャネル情報２４６は、ＢＳスケジューラ２３０によりアップリンクエアリンク資源を要求するＷＴに割り当てられ得るセグメント上の情報を含む複数のアップリンク・トラフィックチャネルセグメント情報セットを含んでいる。アップリンク・トラフィックチャネル情報２４６は、チャネルセグメント１情報２８０およびチャネルセグメントＮ情報２８２を含んでいる。チャネルセグメント１情報２８０は、タイプ情報２８４、パワーレベル情報２８６、定義情報２８８、および割当情報２９０を含んでいる。タイプ情報２８４は、セグメント１の特徴（例えばセグメントの周波数および時間範囲）を定義する情報を含んでいる。例えば、ＢＳは、複数のタイプのアップリンクセグメント、例えば、大きな帯域幅だが短時間の持続期間を持つセグメント、および小さな帯域幅だが長時間の持続期間を持つセグメントをサポートすることができる。パワーレベル情報２８６は、ＷＴがアップリンクセグメント１を使用する時送信する指定されたパワーレベルを定義する情報を含んでいる。定義情報２８８は、アップリンク・トラフィックチャネルセグメント１を構成する特定の周波数あるいはトーンおよび特定の時間を定義する情報を含んでいる。割当情報２９０は、アップリンク・トラフィックセグメント１に関連した割当情報、例えばアップリンク・トラフィックチャネルセグメント１を割り当てられているＷＴの識別子、アップリンク・トラフィックチャネルセグメント１に使用される符号化および／または変調の方式、を含んでいる。
【００２４】
いくつかの実施形態において使用される干渉報告要求情報メッセージ２４８は、例えば、同報送信メッセージとして、あるいは特定のＷＴに向けられたメッセージとして、送信されるメッセージである。ＢＳ２００により、通信システムにおける特定の基地局送信機、例えば、基地局セクタ送信機、に関しての干渉情報を決定し報告することをＷＴに指示することを共通制御チャネル上でＷＴ３００に対して送信することができる。干渉報告要求情報メッセージ２４８は、干渉報告のために現在指定されている特定の基地局セクタを識別する基地局送信機の識別情報２９２を通常含んでいる。上に説明されるように、いくつかの基地局は単一のセクタ基地局としてインプリメントされる。時間とともに、ＢＳ２００は、近隣の送信機の各々に対応させ、かつそれによって複数の近隣に関する干渉情報を得るために、基地局識別情報２９２を変更することができる。
【００２５】
いくつかの実施形態において使用される干渉制御指標信号２５０は、例えば、少なくともアップリンク・トラフィックセグメントのうちのいくつかは、基地局により明示的に割り当てられないとき、干渉の点から、どのＷＴがアップリンク・トラフィックセグメントを使用することができるか制御するためにＢＳ２００によりＷＴ３００へ同報送信される信号である。例えば、ＢＳ２００がどのくらいきっちりと干渉を制御したいかを各レベルが示す場合には、マルチレベル変数は使用され得る。この信号を受信するＷＴ３００は、ＷＴ３００が制御されているアップリンク・トラフィックセグメントを使用することを許容するかどうか判断するためにそれら自身の測定された干渉と結合してこの信号を使用することができる。
【００２６】
通信ルーチン２２６は、ＢＳ２００により使用される種々の通信プロトコルをインプリメントし、そしてユーザーデータの全体の送信を制御する。基地局制御ルーチン２２８は、入出力デバイス２１０、Ｉ／Ｏインターフェース２０８、受信機２０２、送信機２０４の動作を制御する、そして本発明の方法を実現するようにＢＳ２００の動作を制御する。スケジューラ２３０は、多くの制約条件：セグメントのパワー要求、ＷＴの送信パワー能力、およびシステムに対する干渉コスト、に基づいてその制御の下で、ＷＴ３００にアップリンク・トラフィックセグメントを割り当てる。したがって、スケジューラ２３０は、ダウンリンク送信をスケジュールする時、受信した干渉報告からの情報を使用することができる、そしてしばしば使用する。ダウンリンク同報シグナリング・モジュール２３２は、ダウンリンク・チャネル品質およびアップリンク干渉レベルを決定するのにＷＴ３００により使用されるかもしれない既知のパワーレベルで送信されるビーコン、パイロット信号、割当信号および／または他の共通制御信号のような同報信号を生成しおよび送信するためにダウンリンク同報基準信号情報２４０を含んでいるデータ／情報２２４を使用する。ＷＴ干渉報告処理モジュール２３４は、アップリンク干渉情報を処理し相関させスケジューラ２３０に対して転送するためにＷＴ３００から得られた干渉コスト報告情報２７４を含むデータ／情報２２４を使用する。いくつかの実施形態に使用される報告要求モジュール２３６は、各報告がその近隣基地局のうちの１つに対応するアップリンク干渉報告のシーケンスを要求するために、干渉報告要求メッセージ２４８のシーケンスを生成する。いくつかの実施形態に使用される干渉指標モジュール２３８は、いくつかのアップリンク・トラフィックチャネルセグメントへのアクセスを制御するためにＷＴ３００に対して送信される（マルチレベル）干渉制御指標信号２５０を生成する。
【００２７】
図３は、本発明に従ってインプリメントされた、典型的な無線端末３００を示す。典型的な無線端末３００は、図１の典型的なシステム無線通信システム１００の、ＷＴ１０６、１０８、１１８、１２０のうちのいずれかのより詳細な説明であり得る。ＷＴ３００は、諸要素が、データと情報を交換することができるバス３１４を介して共に結合された、受信機３０２、送信機３０４、入出力デバイス３１０、プロセッサ（例えばＣＰＵ）３０６、メモリ３１２を含んでいる。受信機３０２はアンテナ３１６に結合されている。送信機３０４はアンテナ３１６に結合されている。
【００２８】
ＢＳ２００から送信されたダウンリンク信号は、アンテナ３１６を通して受信され、受信機３０２により処理される。送信機３０４は、ＢＳ２００に対してアンテナ３１８を通してアップリンク信号を送信する。アップリンク信号は、例えばアップリンク・トラフィックチャネル信号、干渉コスト報告を含んでいる。入出力装置３１０は、例えばマイクロホン、スピーカー、ビデオカメラ、ビデオディスプレイ、キーボード、プリンタ、データ端末ディスプレイ、などのようなユーザーインターフェース・デバイスを含んでいる。入出力装置３１０は、例えば、オペレータがピア・ノードに向けられたユーザーデータ、音声および／またはビデオを入力することを可能にし、かつオペレータが、ピア・ノード（例えば別のＷＴ３００）から通信されたユーザーデータ、音声および／またはビデオを見ることを可能にするように、ＷＴ３００のオペレータとインターフェースをとるために使用することができる。
【００２９】
メモリ３１２は、ルーチン３２０およびデータ／情報３２２を含んでいる。プロセッサ３０６は、ＷＴ３００の基本的な動作を制御し、かつ本発明の方法を実現するために、ルーチン３２０を実行し、メモリ３１２内のデータ／情報３２２を使用する。ルーチン３２０は、通信ルーチン３２４およびＷＴ制御ルーチン３２６を含んでいる。
【００３０】
ＷＴ制御ルーチン３２６は、基準信号処理モジュール３３２、干渉コストモジュール３３４、およびスケジューリング決定モジュール３３０を含んでいる。基準信号処理モジュール３３２は、識別モジュール３３６、受信パワー測定モジュール３３８、およびチャネル利得比計算モジュール３４０を含んでいる。干渉コストモジュール３３４は、フィルタリング・モジュール３４２、決定モジュール３４４、および報告作成モジュール３４６を含んでいる。報告作成モジュール３４６は、量子化モジュール３４８を含んでいる。
【００３１】
データ／情報３２２は、ダウンリンク同報基準信号情報３４９、無線端末データ／情報３５２、アップリンク・トラフィックチャネル情報３５４、受信干渉報告要求情報メッセージ３５６、受信干渉制御指標信号３５８、および受信同報基準信号３５３を含んでいる。
【００３２】
ダウンリンク同報基準信号情報３４９は、複数個のダウンリンク同報基準信号情報のセット、基地局１ダウンリンク同報基準信号情報３５０、基地局Ｍダウンリンク同報基準信号情報３５１を含んでいる。ＢＳ１ダウンリンク同報基準信号情報は、ビーコン信号情報３６０、パイロット信号情報３６２、および割当シグナリング情報３６４を含んでいる。ビーコン信号情報３６０は、識別情報３６６（例えばＢＳ識別子、セクタ識別子情報）、およびパワーレベル情報３６８を含んでいる。パイロット信号情報３６２は、識別情報３７０およびパワーレベル情報３７２を含んでいる。割当シグナリング情報３６４は、識別情報３７４およびパワーレベル情報３７６を含んでいる。
【００３３】
無線端末データ／情報３５２は、データ３８２、端末識別情報３８４、干渉報告情報３８６、要求アップリンク・トラフィックセグメント３８８、および割当アップリンク・トラフィックセグメント３９０を含んでいる。
【００３４】
アップリンク・トラフィックチャネル情報３５４は、複数個のアップリンク・トラフィックチャネル情報のセット、チャネル１情報３９１、チャネルＮ情報３９２を含んでいる。チャネル１情報３９１は、タイプ情報３９３、パワーレベル情報３９４、定義情報３９５、および割当情報３９６を含んでいる。スケジューリングモジュール３３０は、例えば予め定めたスケジュール、受信される報告要求に応答するＢＳ要求干渉報告、およびユーザーデータに従って、送信干渉報告のスケジューリングを制御する。
【００３５】
受信干渉報告要求情報メッセージ３５６は基地局識別子３９７を含んでいる。
【００３６】
図４は、本発明の種々の特徴について説明するために使用される、本発明に従ってインプリメントされた典型的なシステム４００を示す。システム４００は、互いに隣接している、第１、第２、および第３のセル４０４、４０６、および４０８を含んでいる。第１のセル４０４は、第１の基地局セクタ送信機（ＢＳＳ０）４１０を含む第１の基地局、およびＢＳＳ０  ４１０に接続される無線端末４２０を含んでいる。第２のセル４０６は、第２の基地局セクタ送信機（ＢＳＳ１）４１２を含む局基地局を含んでいる。
【００３７】
第３のセル４０８は、第３の基地局セクタ送信機（ＢＳＳ２）４１４を含む第３の局基地局を含んでいる。見ることができるように、ＢＳＳ０とＷＴ４２０の間で送信される信号は、チャネル利得ｇ０に従わせられる。ＢＳＳ１とＷＴ４２０の間で送信される信号は、チャネル利得ｇ１に従わせられる。ＢＳＳ２とＷＴ４２０の間で送信される信号は、チャネル利得ｇ２に従わせられる。
【００３８】
ＷＴ４２０が、その接続点としてＢＳＳ０  ４１０を使用してＢＳＳ０  ４１０に接続されると仮定する。利得比Ｇｉ＝ＢＳＳ０からＷＴ  ４２０までのチャネル利得に対するＢＳＳｉからＷＴ４２０までのチャネル利得の比。すなわち：
Ｇｉ＝ｇｉ／ｇ０
、ビーコン信号は、第１、第２と第３のＢＳＳから同じパワーレベルにおいて送信されると仮定すると、基地局ＢＳＳ０、ＢＳＳ１、ＢＳＳ２から受信されたビーコン信号の受信パワー（ＰＢ）は、以下のように利得比を決定するために使用することができる：
Ｇ０＝ｇ０／ｇ０＝１＝ＰＢ０／ＰＢ０
Ｇ１＝ｇ１／ｇ０＝ＰＢ１／ＰＢ０
Ｇ２＝ｇ２／ｇ０ＰＢ２／ＰＢ０
本発明の以下の説明は、本発明に従ってアップリンク・トラフィックチャネルの動作に焦点を置くであろう。典型的なシステムにおいて、アップリンク・トラフィックチャネルを構成するトラフィックセグメントは、無線チャネルの種々のセットにわたって、および異なるデバイス制約で動作している広いクラスの無線端末に適合させるために、異なる周波数および時間範囲にわたって定義され得る。図６は、垂直軸１０２Ａ上の周波数対水平軸１０４Ａ上の時間のグラフ１００Ａである。図６は、アップリンク・トラフィックチャネルの２種類のトラフィックセグメントを示す。１０６Ａと表示されたトラフィックセグメントＡは、１０８Ａと表示されたトラフィックセグメントＢの周波数範囲の２倍を占める。アップリンク・トラフィックチャネルのトラフィックセグメントは、基地局と通信している無線端末の間でダイナミックに共有することができる。基地局の一部であるスケジューリングモジュールは、一般に時間で変化するかもしれない、それらのトラフィック・ニーズ、デバイス制約およびチャネルコンディションに従ってトラフィックチャネルセグメントを異なるユーザに素早く割り当てることができる。したがって、アップリンク・トラフィックチャネルは、セグメントごとの方式で異なるユーザの間で有効に共有されダイナミックに割り当てられる。トラフィックセグメントの動的割当ては、図６に示される。そこにおいてセグメントＡが基地局スケジューラによりユーザ＃１に割り当てられ、セグメントＢがユーザ＃２に割り当てられる。
【００３９】
典型的なシステムにおいて、トラフィックチャネルセグメントの割り当て情報は、割り当てチャネルにおいて運ばれる。それは一連の割り当てセグメントを含んでいる。各トラフィックセグメントは、それぞれ、対応するユニークな割り当てセグメントに対応付けられる。それはそのトラフィックセグメントにおいて使用される無線端末、さらに符号化および変調方式の識別子を含むことができる割り当て情報を伝える。図７は、垂直軸２０２Ａ上の周波数対水平軸２０４Ａの上の時間のグラフ２００Ａである。図７は、２つの割り当てセグメント、Ａ’２０６ＡおよびＢ’２０８Ａを示す。それらはアップリンク・トラフィックセグメントＡ  ２１０ＡおよびＢ  ２１２Ａの割り当て情報をそれぞれ伝える。割り当てチャネルは、共有チャネル資源である。無線端末は、割り当てチャネルにおいて伝えられた割り当て情報を受信し、次に、その割り当て情報に従ってアップリンク・トラフィックチャネルセグメント上で送信する。
【００４０】
基地局スケジューラ２３０は、多くの理由に基づいてトラフィックセグメントを割り付ける。１つの制約は、トラフィックチャネルの送信パワー要求が無線端末の送信パワー能力を超過するべきでないということである。従って、より弱いアップリンクチャネル上で動作している無線端末には、瞬時パワー要求が厳しく制約されていないために、典型的なシステムにおけるより狭い周波数範囲を占有するトラフィックセグメントを割り付けることができる。同様に、大量の干渉を生成する無線端末にも、それらにより生成される瞬時の干渉の影響を低減するためにより小さな周波数範囲を含んでいるトラフィックセグメントを割り付けることができる。本発明に従って、全体の干渉は、無線端末の送信をシステムに対するそれらの干渉コストに基づいてスケジュールすることにより制御される。それは下記において定義される。
【００４１】
本発明に従って、無線端末は、受信ダウンリンク同報信号からシステムに対するそれらの干渉コストを決定する。１つの実施形態において、無線端末は、基地局へそれらの干渉コストを干渉報告の形で報告する。そのとき、それは、アップリンク干渉を制御するためにアップリンクをスケジュールする決定を下す。別の実施形態において、基地局は干渉制御指標を同報送信する。そして、無線端末は、適切な仕方において、それらのアップリンク送信資源を決定するために、それらの干渉コストを受信された指標と比較する。例えば、制御指標により指示されたレベルより下のアップリンク送信コストがあるモバイルは、送信することができるのに対して、制御指標により指示されたコスト・レベルを超過する干渉コストを持ったモバイルは送信を差し控えるであろう。
【００４２】
考慮され得る典型的な干渉コストが次に説明されるだろう。
【００４３】
無線端末にラベルｍ０が付けられたと考える。無線端末が基地局Ｂ０に接続されると仮定する。Ｇ０，ｋは。この無線端末と基地局Ｂｋ（ｋ＝０、１、…、Ｎ−１）の間のチャネル利得を表わす。ここで、Ｎはシステムにおける基地局の総数である。
【００４４】
典型的なシステムにおいて、アップリンク・トラフィックセグメント上で無線端末０により送信されたパワーの量は、通常、無線の端末ｍ０から基地局Ｂ０までの無線チャネルの条件、周波数範囲、およびトラフィックセグメント上の符号レートの選択、の関数である。セグメントの周波数範囲および符号レートの選択は、モバイルにより使用される送信パワーを決定する。それは直接干渉を引き起こす量である。トラフィックセグメントを解読するために基地局受信機が必要とするＳＮＲは、トラフィックセグメントの１つのトーン当たりの受信パワーＰＲを必要とすると仮定する。（それは符号化レートの選択、およびモバイル端末が動作しているチャネル状態の関数である。）これは、無線端末の１つのトーン当たりの送信パワー（ＰＴ）と以下のように関係する：
ＰＲ＝ＰＴＧ０，０
次に、近隣の基地局ｋでこの無線端末により生成されるトーンあたり干渉は、以下のように計算することができる：
【数１】
2010507284.tif 000003
【数２】
2010507284.tif 000004
【００４５】
と表示する。この表現から、基地局Ｂｋにおいて無線の端末ｍ０により生成される干渉が、基地局ｋに対するチャネル利得とそれ自身の基地局に対するチャネル利得の比にも、その送信パワーにも比例することは明らかである。従って、ｒ０，ｋは、基地局に対する無線端末の干渉コストと呼ばれる。
【００４６】
この概念を一般化して、すべての近隣の基地局に対して無線端末により生成されるトーンあたりの全体の干渉は、
【数３】
2010507284.tif 000005
【００４７】
である。したがって、｛ｒ０，１，…，ｒ０，Ｎ｝は、システム全体の無線端末０の干渉コストである。基地局Ｂｋに対してモバイルｍ０により引き起こされた瞬間の干渉の総計が、実際にｎｔｏｎｅｓｒ０，ｋ、ただしｎｔｏｎｅｓはトラフィックセグメントの周波数範囲である、によって与えられることに注目することは有用である。
【００４８】
いくつかの実施形態において干渉コストを決定する方法が次に説明されるだろう。１つの典型的な実施形態において、典型的なシステム１００における各基地局１０２および１１４は、それぞれ、無線端末が検出しデコードすることができる高パワーで周期的な基準信号を同報送信する。基準信号は、ビーコン、パイロットあるいは他の共通制御信号を含んでいる。基準信号は、セルおよび基地局のセクタを識別する役目をするユニークなパターンを有していてもよい。
【００４９】
典型的なＯＦＤＭ方式１００において、ビーコンまたはパイロット信号は基準信号として使用することができる。ビーコン信号は、ほとんどの送信パワーが少数のトーンに集中される特別のＯＦＤＭシンボルである。それらの高パワーのトーンの周波数位置は、基地局の識別子を示す。パイロット信号は、特別のホッピングパターンを持つことができる。それもまた、ユニークに基地局１０２の識別子を指定する。したがって、基地局セクタは、ビーコンおよび／またはパイロット信号により典型的なシステムにおいて識別され得る。
【００５０】
ＣＤＭＡシステムにおいて、パイロット信号は基準信号として使用することができる。ＩＳ−９５システムにおいて、例えば、パイロットは、基地局の識別子としての特定の時間オフセットを持った既知の拡散シーケンスである。
【００５１】
上で説明された典型的なシステム１００が伝送損失推定のための基準信号を提供するためにビーコンまたはパイロット信号を使用しているが、本発明は、基準信号を提供するために他の技法を使用することができる種々様々のシステムにおいて適用可能である。
【００５２】
基準信号は既知のパワーで送信される。異なる基準信号は異なるパワーで送信されてもよい。これらのパワーがモバイル端末に知られている限り、異なる基地局１０２および１１４は、同じタイプの基準信号について、異なるパワーレベルを使用することができる。
【００５３】
無線端末１０６は、最初に基地局１０２の識別子を得るために基準信号を受信する。そのとき、無線端末１０６は、基準信号の受信パワーを測定し、基地局１０２から無線端末１０６へのチャネル利得を計算する。与えられた位置において、無線端末が複数の基地局１０２および１１４から基準信号を受信することができるかもしれないことに注意する。他方では、無線端末はシステム全体におけるすべての基地局から基準信号を受信することができないかもしれない。典型的なシステムにおいて、無線端末ｍ０は、それが対応する基準信号を受信することができる場合、その接続している基地局Ｂ０に対するＧ０，０、および基地局Ｂｋに対するＧ０，ｋをモニタする。したがって、無線端末ｍ０は、その基準信号をそれが受信することができる基地局のセットに対する一連の干渉コスト｛ｒ０，ｋ｝を保存する。
【００５４】
無線端末１０６が、複数の基準信号からの推定値を結合させることにより、干渉コストを導き出すことができることに注意する。例えば、典型的なＯＦＤＭ方式１００において、無線端末１０６は、｛ｒ０，ｋ｝の推定に到達するためにビーコンとパイロットの両方を使用することができる。
【００５５】
干渉コスト｛ｒ０，ｋ｝の情報は、アップリンク干渉を制御し、かつシステム全体の性能を増加させるために使用されるべきである。アップリンク・トラフィックチャネルは、２つのモードで使用することができる。そして、下記は、両方のモードにおける干渉コストの使用を説明する。
【００５６】
無線端末１０６および１０８がダウンリンク基準信号によりチャネル利得情報を測定したこと、一方、干渉は、アップリンクへの影響の点において干渉が持つであろうコストの基準であることは指摘されるべきである。無線端末１０６と基地局１０２の間のダウンリンクおよびアップリンクのチャネル利得は、すべての時において同じではないかもしれない。短期の影響を除去するために、ダウンリンク基準信号によるチャネル利得の推定値は、いくつかの実施形態においてそうであるように、干渉コスト｛ｒ０，ｋ｝の推定値を得るために（例えば低域通過フィルタの形態を使用して）平均される。
【００５７】
スケジュールされた動作モードにおける決定した干渉コストの使用は、次に説明されるだろう。１つの特定の典型的な動作モードにおいて、１つのアップリンク・トラフィックセグメントが高々１つの無線端末のみにより使用されるように、アップリンク・トラフィックセグメントの各々は基地局により明示的に割り当てられる。典型的なＯＦＤＭ方式において、トラフィックセグメントが互いに直交しているので、このモードにおけるアップリンク・トラフィックセグメントにおいて通常、セル内干渉（ｉｎｔｒａｃｅｌｌ  ｉｎｔｅｒｆｅｒｅｎｃｅ）はない。
【００５８】
本発明に従って、基地局１０２おけるスケジューリングを容易にするために、無線端末１０６および１０８はそれぞれ、無線端末が接続されている基地局１０２に干渉報告のシーケンスを送る。いくつかの実施形態において、報告は計算された干渉コスト｛ｒ０，ｋ｝を示す。極端なケースにおいて、報告は、干渉コスト｛ｒ０，ｋ｝の全配列を含んでいる制御メッセージである。しかしながら、好ましい実施形態において、シグナリング・オーバヘッドを低減するために、配列｛ｒ０，ｋ｝の量子化されたバージョンのみが送信される。下記にリストされるように、｛ｒ０，ｋ｝を量子化する多くの方法がある。
【００５９】
・すべての｛ｒ０、ｋ｝の合計であるｒ０，ｔｏｔａｌを報告する。
【００６０】
・｛ｒ０，ｋ｝  の最大値および最大値に関連するインデックスｋを報告する。
【００６１】
・｛ｒ０、ｋ｝を、一つずつ、および関連するインデックスｋを周期的に報告する。
【００６２】
・ｒ０，ｋを報告するために少数のレベルを使用する。例えば、ｒ０，ｋが強いかまたは弱いかを示す２レベル。
【００６３】
１つ以上の干渉報告を受信した後、基地局は、干渉報告の関数としてトラフィックセグメントをスケジュールする（例えば、割り当てる）。１つのスケジューリングポリシーは、すべてのスケジュールされた無線端末により引き起こされる全体の干渉を、前もって定義した、しきい値まで制限することである。別のスケジューリングポリシーは、それらの報告された｛ｒ０，ｋ｝により、大きな干渉コストを持つグループには、生成された瞬間の干渉の影響を低減するためにより小さな周波数範囲を含んでいるトラフィックセグメントができれば割り当てられるように、いくつかのグループに無線端末を分類することである。
【００６４】
各基地局１０２が、それぞれその隣接セット（つまり干渉の観点から隣接であると判断される基地局１１４などのセット）を知っている１つの実施形態を考えてみる。基礎的な実施形態において、基地局１０２は、近隣の基地局への全体の干渉を制御することを単に試みる。前記基礎的な実施形態は、例えば、スケジュールされたすべての無線端末がセルＸに接近しているかもしれないので、ほとんどすべての干渉が近隣の基地局（セルＸ）の特定の１つへ向けられ得るという意味で、粗いかもしれない。この場合、セルＸは、この期間厳しい干渉を経験する。別の期間では、干渉は異なる近隣の基地局に集中され得る。その場合には、セルＸは干渉をほとんど経験しない。従って、全体の干渉制御の上記の実施形態において、特定の近隣の基地局への干渉には大きな変動があり得る。セル間干渉（ｉｎｔｅｒｃｅｌｌ  ｉｎｔｅｒｆｅｒｅｎｃｅ）を不安定にしないようにするために、基地局１０２は、大きな変動を補償するように全体の生成された干渉において十分なマージンを残さなければならないかもしれない。
【００６５】
向上させられた実施形態において、基地局１０２は、特定の基地局Ｂｋに関して干渉コストを決定し報告するように無線端末１０６，１０８に指示するメッセージを共通制御チャネル上で同報する。したがって、無線端末ｍｊ、ｊ＝０，１，２，…は、ｒｊ，ｋの報告を送信するだろう。時間にわたって、基地局１０２は、その隣接セットの各メンバーに対してこのプロセスを繰り返し、基地局の各々に干渉する無線端末１０６，１０８のセットを決定する。一旦このカテゴリー分類が完全ならば、基地局１０２は、異なる基地局に干渉する無線端末１０６，１０８のサブセットにアップリンク・トラフィックセグメントを同時に割り当てることができ、それによって、任意の特定の基地局に向けられた干渉の変動を低減する。都合よく、干渉の変動が少ないので、基地局１０２は、システム安定性に激しい影響を与えることなく、より大きな全体の干渉が生成されることを許容し、それによりシステム容量を増加させることができる。セル１０４の内部における、無線端末１０６，１０８は、近隣の基地局１１４へ無視できる干渉を引き起こす、したがって、常にスケジュールされることができる。
【００６６】
いくつかにおいて使用されるが、全てのインプリメンテーションで必ずしも使用されない非スケジュール動作モード（Ｎｏｎ−ｓｃｈｅｄｕｌｅｄ  Ｍｏｄｅ  ｏｆ  ｏｐｅｒａｔｉｏｎ）における干渉コストの使用は、次に説明されるだろう。
【００６７】
この非スケジュールモードにおいて、アップリンク・トラフィックセグメントの各々は、基地局１０２によって明示的に割り当てられない。その結果、１つのアップリンク・トラフィックセグメントは、複数の無線端末１０６，１０８により使用され得る。ＣＤＭＡシステムにおいて、アップリンク・トラフィックセグメントが互いに直交でないので、このモードにおけるアップリンク・トラフィックセグメントにおいてセル内干渉（ｉｎｔｒａｃｅｌｌ  ｉｎｔｅｒｆｅｒｅｎｃｅ）が一般に存在する。
【００６８】
このモードにおいて、無線端末１０６，１０８はそれぞれ、それがアップリンク・トラフィックセグメントを使用することかどうか、そして、使用する場合には、データレートおよびパワーについて、それ自身のスケジューリングの決定を下す。過度の干渉を低減し、かつ、システム安定性を維持するのを助長するために、本発明に従って、基地局は干渉制御指標を同報送信する。無線端末１０６，１０８はそれぞれ基準レベルをその干渉コストと比較し、そのスケジューリングの決定を決める。
【００６９】
１つの実施形態において、干渉制御指標はマルチレベル変数になりえる。そして、各レベルはそれぞれ、基地局１０２がどの程度きっちりと全体の干渉を制御したいかを示すものである。例えば、最下位レベルが同報送信される時には、無線端末１０６，１０８は、すべてのレートにおいてすべてのトラフィックチャネルセグメントを使用することを許容される。最高レベルが同報送信される時には、その干渉コストが非常に低い無線端末１０６，１０８だけが、トラフィックチャネルセグメントを使用することができる。中間のレベルが同報送信される時には、その干渉コストが低い無線端末１０６，１０８は、トラフィックチャネルセグメント（好ましくはより大きな周波数範囲を含んでいるトラフィックセグメント）をすべて使用することができる。その一方で、その干渉コストが最高値である無線端末１０６，１０８は、より小さな周波数範囲から成るトラフィックセグメントだけを、より低いデータレートにおいて使用することができる。基地局１０２は、セル１０４の無線端末１０６，１０８が他の基地局に対して生成する干渉の量を制御するために同報送信された干渉制御レベルをダイナミックに変更することができる。
【００７０】
図５Ａ、図５Ｂ、および図５Ｃの組み合わせを含む図５は、本発明に従って、無線端末（例えばモバイルノード）を動作する典型的な方法のフローチャート１０００である。ステップ１００２において動作は開始する。ここで、無線端末の電源が入れられ、その無線端末は初期化される。動作は、ステップ１００２からステップ１００４、ステップ１００６、そして、分岐点Ｂ  １００５を介してステップ１００８に進む。
【００７１】
ステップ１００４において、無線端末は、現在の基地局セクタ接続からのビーコンおよびパイロット信号を受信するように動作される。動作はステップ１００４からステップ１０１０に進む。ステップ１０１０において、無線端末は、現在の基地局セクタ接続のために受信ビーコン信号（ＰＢ０）および受信パイロットチャンネル信号（ＰＰ０）のパワーを測定する。動作はステップ１０１０からステップ１０１２に進む。ステップ１０１２において、無線端末は、受信ビーコン信号から現在の接続基地局セクタの送信機情報（例えばＢＳＳ＿ｓｌｏｐｅおよびＢＳＳ＿ｓｅｃｔｏｒ  ｔｙｐｅ）を導き出す。ステップ１０１２はサブステップ１０１３を含んでいる。サブステップ１０１３において、無線端末は、使用されているトーンブロックおよび現在の接続基地局セクタに関連したパワー送信層レベル（ｐｏｗｅｒ  ｔｒａｎｓｍｉｓｓｉｏｎ  ｔｉｅｒ  ｌｅｖｅｌ）を決定する。
【００７２】
ステップ１００６において、無線端末は、１以上の干渉基地局セクタからビーコン信号を受信する（１００６）。動作は、ステップ１００６からステップ１０１４に進む。後続の動作１０１４、１０１６、１０１８は、干渉基地局セクタ（例えば干渉基地局セクタｉ）（ＢＳＳｉ）各々に対して実行される。
【００７３】
ステップ１０１４において、無線端末は、干渉基地局セクタに対する受信ビーコン信号（ＰＢｉ）のパワーを測定する。動作はステップ１０１４からステップ１０１６に進む。ステップ１０１６において、無線端末は、受信ビーコン信号から干渉基地局セクタ送信機情報（例えばＢＳＳ＿ｓｌｏｐｅおよびＢＳＳ＿ｓｅｃｔｏｒ  ｔｙｐｅ）を導き出す。ステップ１０１６は、サブステップ１０１７を含んでいる。サブステップ１０１７において、無線端末は、使用されているトーンブロックおよび干渉基地局セクタに関連したパワー送信層レベルを決定する。
【００７４】
動作はステップ１０１２およびステップ１０１６からステップ１０１８に進む。ステップ１０１８において、無線端末は、サブステップ１０２０の方法あるいはサブステップ１０２２の方法を使用して、チャネル利得比を計算する。
【００７５】
サブステップ１０２０において、無線端末は、チャネル利得比、Ｇｉを計算するためにビーコン信号情報を使用する。サブステップ１０２０はサブステップ１０２４を含んでいる。そこでは、無線端末は、Ｇｉ＝ＰＢｉ／ＰＢ０を計算する。
【００７６】
サブステップ１０２２において、無線端末は、チャネル利得比Ｇｉを計算するために、ビーコン信号情報およびパイロット信号情報を使用する。サブステップ１０２２はサブステップ１０２６を含んでいる。そこでは、無線端末は、Ｇｉ＝ＰＢｉ／（ＰＰ０＊Ｋ＊Ｚ０）を計算する。ただし、Ｋ＝層０のトーンブロックに対するトーン当たりの送信機パワー・ビーコン基準レベル／層０トーンブロックに対するトーン当たりの送信機パイロット信号基準レベル、および、Ｚ０＝現在の基地局セクタ接続送信機トーンブロックに対するトーンブロックのパワー送信層レベルに関連するパワースケールファクタ。
【００７７】
動作は、分岐点Ａ１０４２を介してステップ１０１８からステップ１０４３に進む。そこでは、無線端末は１つ以上の干渉報告を生成する。
【００７８】
ステップ１００８に戻って、ステップ１００８において、無線端末は、同報された負荷因子情報（ｌｏａｄ  ｆａｃｔｏｒ  ｉｎｆｏｒｍａｔｉｏｎ）を受信するように動作される。したがって、典型的な実施形態において、無線端末は、現在のサービング基地局セクタ送信機により送信された同報情報から現在のサービング基地局セクタの負荷因子情報を受信する。無線端末は、現在のあるいは干渉するサービング基地局セクタ送信機により送信された同報情報から干渉サービング基地局セクタの負荷因子情報を受信することができる。負荷因子情報が現在のサービング基地局セクタから受信されるように示されているが、代わりに、負荷因子情報は他のノードから受信することができる、および／または無線端末にあらかじめ格納しておくことができる。考慮中の基地局セクタそれぞれに対して、動作はステップ１０２８に進む。ステップ１０２８において、無線端末は、負荷因子が受信信号から成功裡に再生されたかどうか判断する。負荷因子が受信信号から成功裡に再生された場合、動作はステップ１０３０に進み、そこでは、無線端末は負荷因子を格納する。例えば、負荷因子ｂ０＝現在のサービング基地局セクタ（ｓｅｒｖｉｎｇ  ｂａｓｅ  ｓｔａｔｉｏｎ  ｓｅｃｔｏｒ）に対する負荷因子、および負荷因子ｂｋ＝干渉基地局セクションｋに対する負荷因子。負荷因子が受信信号から成功裡に再生されなかった場合には、動作はステップ１０３２に進む。そこでは、無線端末は、負荷因子を１にセットする。負荷因子（ｂ０ １０３２，ｂ１ １０３４，．．．，ｂｋ １０３８，．．ｂｎ １０４０）は、ステップ１０３０およびステップ１０３２のうちの１つを供給元とする各負荷因子により得られる。
【００７９】
ステップ１０４３に戻って、ステップ１０４３において、無線端末は１つ以上の干渉報告を生成する。ステップ１０４３は、サブステップ１０４４およびサブステップ１０４８を含んでいる。サブステップ１０４４において、無線端末は、サービング基地局セクタへ特定の干渉基地局セクタによる干渉を伝える特定型式の報告を生成する。ステップ１０４４は、サブステップ１０４６を含んでいる。サブステップ１０４６において、無線端末は、報告値＝（ｂ０／Ｚ０）／（Ｇｋ＊ｂｋ／Ｚｋ）を計算する。ただし、ｂ０は現在のサービングＢＳＳの負荷因子（ｌｏａｄｉｎｇ  ｆａｃｔｏｒ）、および、ｂｋは、その報告が、Ｇｋ＝Ｇｉ（ｉ＝ｋ）を通信する１つの干渉ＢＳＳである場合の負荷因子、および、Ｚ０は、現在のＢＳＳの接続送信機トーンブロックに対するトーンブロックのパワー送信層レベルに関連するパワースケールファクタ、および、Ｚｋは、その報告が通信する干渉基地局セクタに対するトーンブロックのパワー送信層レベルに関連するパワースケールファクタである。
【００８０】
サブステップ１０４８において、無線端末は、例えば、負荷因子情報およびパワースケールファクタ情報を使用することを含む、干渉基地局セクタの測定されたビーコン信号のそれぞれからの情報を使用してサービングＢＳＳに１つ以上の干渉ＢＳＳにより干渉の情報を伝える一般的な型式の報告を生成する。
【００８１】
いくつかの実施形態において、ステップ１０４３は量子化を含んでいる。
【００８２】
動作はステップ１０４３からステップ１０５０に進む。そこで、無線端末は、無線端末に対して現在の接続点として仕える現在のサービング基地局セクタに報告を送信するように動作される。いくつかの実施形態において、報告の送信は、サービング基地局セクタからの要求に呼応している。いくつかの実施形態において、送信された報告のタイプ、例えば、特定（ｓｐｅｃｉｆｉｃ）または一般的（ｇｅｎｅｒｉｃ）、は、報告のタイプを識別する基地局セクタからの受信シグナリングに呼応している。いくつかの実施形態において、特別の基地局セクタに関連した干渉について報告する特別の特定タイプの報告の送信は、特別の基地局セクタを識別する受信基地局信号に呼応している。種々の実施形態において、干渉報告は、無線端末が（例えば個別制御チャネル構造の一部として）後続している、報告スケジュールに従って周期的に送信される。いくつかのそのような実施形態において、送信された干渉報告のうちの少なくともいくつかについては、基地局は、報告を選択するために報告選択情報を何も信号送信しない。
【００８３】
いくつかの実施形態において、システムは、各層レベルに関係付けられた異なるパワースケールファクタを持つ複数のパワー送信層レベル（例えば３）を含んでいる。例えば、１つの典型的な実施形態において、０ｄＢのパワースケールファクタは、層レベル０のトーンブロックに関係付けられている。一方、６ｄＢのパワースケールファクタは、層１レベルのトーンブロックに関係付けられている。そして、１２ｄＢのパワースケールファクタは、層２トーンブロックに関係付けられている。いくつかの実施形態において、各接続点はそれぞれ基地局セクタ送信機およびトーンブロックに対応する。そして、接続点ＢＳＳ送信機トーンブロックの各々は、それぞれパワー送信層レベルに関係付けられていてもよい。いくつかの実施形態において、複数個のダウンリンク・トーン・ブロック（例えば、１１３の隣接し等間隔に配置されたトーンを各々が有する３つのトーンブロック（トーンブロック０、トーンブロック１、トーンブロック２）がある。いくつかの実施形態において、同じトーンブロック、例えばトーンブロック０、異なる基地局セクタ送信機を使用、は異なる基地局セクタ送信機に関係付けられた異なるパワー送信層レベルを有する。無線端末は、特定の接続点を識別し、基地局セクタ送信機およびトーンブロック（例えば、繰り返す送信パターンでトーン位置および／または時刻位置を使用しそのビーコン信号を介して伝えられた情報から）と通信し識別された接続点を特定のパワー送信層レベルおよび特定のトーンブロックに対するパワースケールファクタに関連付けるために保存した情報を使用することができる。
【００８４】
いくつかの実施形態において、負荷因子（例えばｂｋ）は、０以上および１以下の値である。いくつかの実施形態において、値は、基地局セクタから無線端末へ通信され、複数個のレベル（例えば、０ｄＢ、−１ｄＢ、−２ｄＢ、−３ｄＢ、−４ｄＢ、−６ｄＢ、−９ｄＢ、―無限大ｄＢ）のうちの１つを表す。
【００８５】
いくつかの実施形態において、ビーコン信号は、使用されているトーンブロックに関連したパワー送信層に関係なく  基地局セクタ送信機から同じパワーで送信される；しかしながら、他のダウンリンク信号（例えばパイロット信号）は、基地局セクタ送信機に対するトーンブロックに関連したパワー送信層により影響を与えられる。いくつかの実施形態において、パラメータＫは６ｄＢ以上の値である。例えば、１つの典型的な実施形態において、パラメータＫ＝２３．８ｄＢ−７．２ｄＢ＝１６．６ｄＢ。
【００８６】
ＯＦＤＭ方式のコンテキストにおいて説明されたが、本発明の方法および装置は、多くの非ＯＦＤＭおよび／または非セルラーシステムを含む広範囲の通信システムに適用可能である。
【００８７】
種々の実施形態において、ここに説明されたノードは、本発明の１つ以上の方法（例えば信号処理、ビーコン生成、ビーコン検出、ビーコン測定、接続比較、接続インプリメンテーション）に対応するステップを実行するために１つ以上のモジュールを使用してインプリメントされる。いくつかの実施形態において、本発明の種々の特徴はモジュールを使用してインプリメントされる。そのようなモジュールは、ソフトウェア、ハードウェアあるいはソフトウェアとハードウェアの組み合わせを使用してインプリメントすることができる。上記の方法あるいは方法ステップの多くは、機械（例えば付加的なハードウェアを伴う、あるいは伴わない汎用コンピュータ）を制御するように、上記方法（例えば１つ以上のノードにおける）のすべてあるいは部分をインプリメントするように、メモリ・デバイス（例えばＲＡＭ、フロッピー（登録商標）ディスクなど）のような機械可読媒体に含まれたソフトウェアのような機械実行可能命令を使用してインプリメントすることができる。従って、とりわけ、本発明は、機械（例えばプロセッサおよび関連するハードウェア）に上記方法のステップの１つ以上を行なわせるための機械実行可能命令を含む機械可読媒体に対して向けられる。
【００８８】
上に説明された本発明の方法および装置における多くの追加の変形は、本発明の上記の説明を考慮した当業者において明白になるであろう。そのような変形は発明の範囲内と考えられるべきである。本発明の方法および装置は、そして種々の実施形態において、ＣＤＭＡ、直交周波数分割多重（ＯＦＤＭ）、および／またはアクセスノードとモバイルノードの間の無線通信リンクを提供するために使用され得る種々の他のタイプの通信技法と共に使用され得る。いくつかの実施形態において、アクセスノードは、ＯＦＤＭおよび／またはＣＤＭＡを使用して、モバイルノードと通信リンクを確立する基地局としてインプリメントされる。種々の実施形態において、モバイルノードは、本発明の方法を実現するために、ノート型コンピュータ、個人情報端末（ＰＤＡ）、あるいは受信機／送信機回路およびロジックおよび／またはルーチンを含む他の携帯機器としてインプリメントされる。
【図１】
2010507284.tif 000006
【図２】
2010507284.tif 000007
【図３】
2010507284.tif 000008
【図４】
2010507284.tif 000009
【図５】
2010507284.tif 000010
【図５Ａ】
2010507284.tif 000011
【図５Ｂ】
2010507284.tif 000012
【図５Ｃ】
2010507284.tif 000013
【図６】
2010507284.tif 000014
【図７】
2010507284.tif 000015
【国際調査報告】
2010507284.tif 000016
2010507284.tif 000017
2010507284.tif 000018